(57)【要約】      （修正有）【課題】中央スピーカーの設置位置を柔軟に対応できるテレビジョンを提供する。【解決手段】ホームシネマシステム２００において、ソース２２０は、オーディオ又はオーディオビジュアルコンテンツをテレビジョン２１０に提供する。テレビジョン２１０は、その内部スピーカー２１５上でサウンドをレンダリングし、ＡＲＣオーディオ信号２５０をホームシネマデバイス２３０に提供する。ホームシネマデバイス２３０は、複数のオーディオ信号２６０を複数のスピーカー２４０に提供する。テレビジョン２１０とホームシネマデバイス２３０は、コンシューマエレクトロニクスコントロール（ＣＥＣ）、ＤＤＣ情報などの制御情報２７０を交換する。【選択図】図２
2018148563.tif 000002
【特許請求の範囲】
【請求項１】
サウンドレンダリングデバイスに接続するために構成されたテレビジョンであって、前記テレビジョンは、
デコーダであって、
少なくとも左チャンネル、右チャンネル及び中央チャンネルを含む第１のオーディオ信号をデコードし、
第１のスピーカー上でレンダリングするためにデコードされた中央チャンネルを提供する、
ように構成された、デコーダと、
第２のスピーカー上でサウンドをレンダリングするために前記サウンドレンダリングデバイスに出力するために第２のオーディオ信号を取得するためにデコードされた左チャンネルとデコードされた右チャンネルをエンコードするエンコーダと、
を備える、テレビジョン。
【請求項２】
サウンドレンダリングデバイスに接続されるように構成されたテレビジョンであって、前記テレビジョンは、
デコーダであって、
少なくとも左チャンネル、右チャンネル及び中央チャンネルを含むオーディオ信号をデコードし、
第１のスピーカー上でレンダリングするためのデコードされた中央チャンネルを提供する、
デコーダと、
第２のスピーカー上でサウンドをレンダリングするために、前記オーディオ信号を前記サウンドレンダリングデバイスに出力するように構成された出力インタフェースと、
を備える、テレビジョン。
【請求項３】
サウンドレンダリングデバイスに接続するように構成されたテレビジョンであって、前記テレビジョンは、
少なくとも左チャンネル、右チャンネル及び中央チャンネルを含む第１のオーディオ信号を受信するように構成されたユニットと、
第２のスピーカー上でサウンドをレンダリングするために前記サウンドレンダリングデバイスに前記第１のオーディオ信号を出力するように構成された出力インタフェースと、
前記サウンドレンダリングデバイスから第２のオーディオ信号を受信するように構成されたデコーダであって、前記第２のオーディオ信号は、前記中央チャンネル又は前記中央チャンネルから取得されたさらなる左チャンネルとさらなる右チャンネルを含み、少なくとも１つの第１のスピーカー上でレンダリングするための少なくとも１つのオーディオチャンネルを提供するために、前記第２のオーディオ信号をデコードする、デコーダと、
を備える、テレビジョン。
【請求項４】
前記第２のオーディオ信号は、前記中央チャンネルを含み、前記テレビジョンは、前記第１のスピーカーの中の左スピーカーと右スピーカー上でレンダリングするために前記中央チャンネルを処理するように構成されたデジタルサウンドプロセッサユニットをさらに備える、請求項３に記載のテレビジョン。
【請求項５】
前記第２のオーディオ信号は、前記さらなる左チャンネル及び前記さらなる右チャンネルを含み、前記デコーダは、デコードされたさらなる左チャンネルを前記第１のスピーカーの中の左スピーカーに、デコードされた右チャンネルを前記第１のスピーカーの中の右スピーカーに提供する、請求項３に記載のテレビジョン。
【請求項６】
前記第１のスピーカーに提供されるオーディオチャンネルのサウンド処理に対するデジタルサウンドプロセッサユニットをさらに備える、請求項１乃至３のいずれか１項に記載のテレビジョン。
【請求項７】
前記第１のスピーカーが、前記テレビジョンの内部の左と右のスピーカーを備える、請求項１乃至３のいずれか１項記載のテレビジョン。
【請求項８】
前記第１のスピーカーが、前記テレビジョンの外部のサウンドバーの左と右のスピーカーを備える、請求項１乃至３のいずれか１項記載のテレビジョン。
【請求項９】
第１のオーディオ信号又は前記第２のオーディオ信号が、さらに、前記第１のスピーカーの中のバススピーカー上でレンダリングされるバスチャンネルをさらに含む、請求項１乃至３のいずれか１項記載のテレビジョン。
【請求項１０】
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記サウンドレンダリングデバイスに連結された左スピーカーと右スピーカーへ、前記左チャンネルと前記右チャンネルを提供する、
デコーダと、
前記中央チャンネルを、前記テレビジョンに対した出力するための第２のオーディオ信号へエンコードするように構成されたエンコーダと、
を備える、サウンドレンダリングデバイス。
【請求項１１】
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記左チャンネルと前記右チャンネルを前記サウンドレンダリングデバイスに連結された左スピーカーと右スピーカーに提供する、
デコーダと、
第２の左チャンネルと第２の右チャンネルを取得するために前記中央チャンネルを処理するように構成されたデジタルサウンドプロセッサユニットと、
前記第２の左チャンネルと前記第２の右チャンネルを前記テレビジョンに出力するための第２のオーディオ信号にエンコードするように構成されたエンコーダと、
を備える、サウンドレンダリングデバイス。
【請求項１２】
前記デコーダが、前記テレビジョンから前記オーディオ信号を受信するように構成される、請求項１０又は１１に記載のサウンドレンダリングデバイス。
【請求項１３】
前記デコーダが、ビデオ信号を受信するようにさらに構成され、前記エンコーダは、前記ビデオ信号を前記テレビジョンに提供するようにさらに構成される、請求項１０又は１１に記載のサウンドレンダリングデバイス。
【請求項１４】
前記デコーダが、前記ビデオ信号及び前記オーディオ信号を、前記テレビジョン以外のソースから受信するように構成される、請求項１３に記載のサウンドレンダリングデバイス。
【発明の詳細な説明】
【技術分野】
【０００１】
本開示は、一般に、ホームシネマ（home  cinema）に関連し、具体的には、ホームシネマシステム（home  cinema  systems）におけるサウンドレンダリング（sound  rendering）に関する。
【背景技術】
【０００２】
この欄では、以下で説明され及び／又は請求される本開示の様々な態様に関連する可能性のある技術の様々な態様を読者に紹介することを意図する。この検討は、本開示の様々な態様をより良く理解することを容易にする背景情報を読者に提供することを手助けすると信じる。その結果、これらの記述は、このような観点で読まれるべきであり、従来技術の自白としてではないことを理解されたい。
【０００３】
テレビジョンの視聴者に対してより良いリスニング体験を提供するための１つの解決策は、テレビジョンに外部スピーカーを追加することであり、それは、しばしば、いわゆるホームシネマ又はホームシアタデバイスよって駆動される。これらの外部スピーカーは、テレビジョンの内部の左と右のスピーカーの役割を引き受ける。３つ以上のスピーカーを有するシステムは、知られており、スピーカーとバススピーカー（bass  speakers）の数によってしばしば名前が付けられ、例えば、３つのスピーカーと１つのバススピーカーに対しては３．１、５つのスピーカーと１つのバススピーカーに対しては５．１などである。マルチチャンネルシステムに対する他の名前は、アンビソニック（Ambisonic）又はサラウンドサウンド（surroundsound）である。通常、これらのシステムは、スピーチの明瞭さのための中央スピーカー（centre  speaker）を含む。
【０００４】
従来のホームシネマ（また、ホームシアタとも呼ばれる）システムは、ビデオを表示するためのスクリーン、オーディオをレンダリングするためのいくつかのスピーカーに送信されるサウンド信号を取得するためのアンプを含むデバイス、を含む。スクリーンは、デバイスがビデオを投影するフラットな表面であり、しかし、それは、従来のテレビのスクリーンでも良い。
【０００５】
上述のホームシネマシステムは、ＨＤＭＩ（登録商標）（ハイディフィニションマルチメディアインタフェース（High-Definition  Multimedia  Interface））ケーブルを経由して接続される２つ以上のデバイスに従来は収納されており、しかしながら、ときどき、追加のオーディオケーブル、データリンク又はイーサネット（登録商標）接続が使用される。
【０００６】
ＨＤＭＩは、下記などのいくつかのセクションを含むスタンダード（standard：標準規格）で説明されるオーディオ／ビデオインタフェースである：
ＤＤＣ：ディスプレイデータチャネル（Display  Data  Channel）は、Ｉ２Ｃバス規格書に基づく通信チャンネルである。ＨＤＭＩは、エンハンスドディスプレイデータチャネル（Ｅ−ＤＤＣ：Enhanced-DDC）を実装するために、準拠したデバイスを必要とし、それは、ＨＤＭＩソースデバイスによって使用され、どのオーディオ／ビデオフォーマットをそれがサポートするかを知るためにＨＤＭＩシンクデバイスからエンハンスドエクステンデッドディスプレイアイデンティフィケーションデータ（Ｅ−ＥＤＩＤ：Enhanced  Extended  Display  Identification  Data）を読むために使用される。
ＣＥＣ：コンシューマエレクトロニクスコントロール（Consumer  Electronics  Control）は、ＨＤＭＩを通して接続される最大１５ＣＥＣ使用可能デバイスを命令し、制御することをユーザに可能にするように設計されたＨＤＭＩの機能（feature）である。これは、リモートコントロール信号の伝送を容易にする。さらに、ＣＥＣは、個々のＣＥＣ使用可能デバイスに対して、ユーザの介入なしに他のデバイスを命令し、制御することを可能にする。ＣＥＣは、双方向である。
ＴＭＤＳ：ＨＤＭＩ上のトランジションミニマイズドディファレンシャルシグナリング（Transition-Minimized  Differential  Signaling）は、ビデオ、オーディオ及び補助データを、ビデオデータピリオド、データアイランドピリオド及びコントロールピリオドと呼ばれる３つの異なるパケットタイプを使用してインターリーブする。ビデオデータピリオドの間、アクティブなビデオラインのピクセルが伝送される。データアイランドピリオドの間（水平及び垂直ブランキングインターバルの間に発生する）、オーディオ及び補助データが、一連のパケット内で伝送される。コントロールピリオドは、ビデオ及びデータアイランドピリオドの間に発生する。ＴＭＤＳは、一方向である。
ＡＲＣ：オーディオリザーブチャンネル（Audio  Reverse  Channel）は、一方向のオーディオリンクで、ＴＶ及びＡ／Ｖレシーバ又はホームシネマ間の他のケーブルを置き換えることを意図する。このディレクション（direction）は、ＴＶが他のイクイップメントの代わりにビデオ及びオーディオストリームのソースであるときに使用される。ＡＲＣなしで、ＴＶからのオーディオ出力は、典型的にはＴＯＳ−Ｌｉｎｋ又は同軸ケーブルなどの他のケーブルによってスピーカーシステムに経路指定される必要がある。それは、追加のケーブルを使用する。
ＨＥＣ：ＨＤＭＩイーサネットチャンネルは、双方向イーサネット通信を提供する。これは、ＡＲＣとＨＥＡＣ（ＨＤＭＩイーサネットオーディオコネクション）の組み合わせである。
【０００７】
ホームシネマシステムは、含まれるスピーカーの数でしばしば特定される。例えば、図１に説明されるように、３．１システム１００は、典型的に、スクリーン１４０の左に１つのスピーカー１１０、スクリーンの右に１つのスピーカー１１２、スクリーン下、前又は上に位置する中央スピーカー１２０とバススピーカー１３０（その位置は、より限定的ではない）を含む。中央スピーカー１２０とバススピーカー１３０は、同じ物理ユニットに位置することができる。５．１システムは、もう２個のスピーカーを含み、７．１システムはさらに２個含む。
【０００８】
従来のホームシネマシステムの問題点は、ビデオがテレビ上でレンダリングされるとき、中央スピーカーを置くことが難しい場合がある。例えば、テレビジョンの丁度前の地面にスペースがない場合があり、スピーカーは、時として、スクリーンをブロックすることがある。
【０００９】
中国実用新案、ＣＮ２００９５９６３４は、中央スピーカーとして協働するテレビジョンの内部の左と右のスピーカーを持つホームシネマシステムを提案する。しかしながら、この解決策は、ホームシネマシステムとこれらのスピーカーをハードワイヤすることを必要とする。さらに、この解決策は、遅延（delay：ディレイ）、不適切なミキシングやボリュームが発生するとき、起こりうる問題に対して何ら解決策を提供していないように見える。
【００１０】
ホームシネマシステムにおける中央スピーカーに関連する従来の問題点の少なくとも一部を克服する解決策を持つことが望まれることが理解される。
【発明の概要】
【００１１】
第１の態様において、本原理は、サウンドレンダリングデバイスに接続するために構成されたテレビジョンを対象にし、このテレビジョンは、少なくとも左チャンネル、右チャンネル及び中央チャンネルを含む第１のオーディオ信号をデコードし、第１のスピーカー上でレンダリングするためにデコードされた中央チャンネルを提供するように構成されたデコーダと、第２のスピーカー上でサウンドをレンダリングするためにサウンドレンダリングデバイスに出力するために第２のオーディオ信号を取得するためにデコードされた左チャンネルとデコードされた右チャンネルをエンコードするエンコーダとを備える。
【００１２】
第２の態様において、本原理は、サウンドレンダリングデバイスに接続されるように構成されたテレビジョンを対象とし、このテレビジョンは、少なくとも左チャンネル、右チャンネル及び中央チャンネルを含むオーディオ信号をデコードし、第１のスピーカー上でレンダリングするためのデコードされた中央チャンネルを提供するデコーダと、第２のスピーカー上でサウンドをレンダリングするために、オーディオ信号をサウンドレンダリングデバイスに出力するように構成された出力インタフェースとを備える。
【００１３】
第３の態様において、本原理は、サウンドレンダリングデバイスに接続するように構成されたテレビジョンを対象とし、このテレビジョンは、少なくとも左チャンネル、右チャンネル及び中央チャンネルを含む第１のオーディオ信号を受信するように構成されたユニットと、第２のスピーカー上でサウンドをレンダリングするためにサウンドレンダリングデバイスに第１のオーディオ信号を出力するように構成された出力インタフェースと、サウンドレンダリングデバイスから第２のオーディオ信号を受信するように構成されたデコーダであって、第２のオーディオ信号は、中央チャンネル又は中央チャンネルから取得されたさらなる左チャンネルとさらなる右チャンネルを含み、少なくとも１つの第１のスピーカー上でレンダリングするための少なくとも１つのオーディオチャンネルを提供するために、第２のオーディオ信号をデコードするデコーダとを備える。
【００１４】
第３の態様の様々な実施形態は、以下を含む：
・２のオーディオ信号は、中央チャンネルを含み、テレビジョンは、第１のスピーカーの中の左スピーカーと右スピーカー上でレンダリングするために中央チャンネルを処理するように構成されたデジタルサウンドプロセッサユニットをさらに含むもの。
・第２のオーディオ信号は、さらなる左チャンネル及びさらなる右チャンネルを含むもの、及びデコーダは、デコードされたさらなる左チャンネルを第１のスピーカーの中の左スピーカーに、デコードされた右チャンネルを第１のスピーカーの中の右スピーカーに提供するもの。
第１の３つの態様の様々な実施形態は、以下を含む：
・テレビジョンが、第１のスピーカーに提供するためのオーディオチャンネルをサウンド処理するためのデジタルサウンドプロセッサをさらに含むもの。
・第１のスピーカーがテレビジョンの内部の左と右のスピーカーを含むもの。
・第１のスピーカーがテレビジョンの外部のサウンドバーの左と右のスピーカーを含むもの。
・第１のオーディオ信号又は第２のオーディオ信号が、第１のスピーカーの中のバススピーカー上でレンダリングされるバスチャンネルをさらに含むもの。
【００１５】
第４の態様において、本原理は、テレビジョンに接続するように構成されたサウンドレンダリングデバイスを対象とし、このサウンドレンダリングデバイスは、少なくとも左チャンネル、右チャンネル及び中央チャンネルを含む第１のオーディオ信号を受信し、チャンネルを取得するために第１のオーディオ信号をデコードし、サウンドレンダリングデバイスに連結された左スピーカーと右スピーカーへ、左チャンネルと右チャンネルを提供するデコーダと、中央チャンネルをテレビジョンに対して出力するための第２のオーディオ信号へエンコードするように構成されたエンコーダとを備える。
【００１６】
第５の態様において、本原理は、テレビジョンに接続するように構成されたサウンドレンダリングデバイスを対象とし、このサウンドレンダリングデバイスは、少なくとも左チャンネル、右チャンネル及び中央チャンネルを含む第１のオーディオ信号を受信し、チャンネルを取得するために第１のオーディオ信号をデコードし、左チャンネルと右チャンネルをサウンドレンダリングデバイスに連結された左スピーカーと右スピーカーに提供するデコーダと、第２の左チャンネルと第２の右チャンネルを取得するために中央チャンネルを処理するように構成されたデジタルサウンドプロセッサユニットと、第２の左チャンネルと第２の右チャンネルをテレビジョンに出力するための第２のオーディオ信号にエンコードするように構成されたエンコーダとを備える。
【００１７】
第４の態様と第５の態様の様々な実施形態は、以下を含む：
・デコーダがテレビジョンからのオーディオ信号を受信するように構成されているもの。
・デコーダがビデオ信号を受信するようにさらに構成されており、エンコードがビデオ信号をテレビジョンに提供するようにさらに構成されているもの。このデコーダは、テレビジョン以外のソースからビデオ信号及びオーディオ信号を受信するように構成されても良い。
【００１８】
本原理の好ましい構成要件は、これから添付図面を参照して、非制限的な例によって説明される。
【図面の簡単な説明】
【００１９】
【図１】従来の３．１ホームシネマシステムを説明する。
【図２】本原理に従ったホームシネマシステムの第１の例を説明する。
【図３】本原理に従ったホームシネマシステムの第２の例を説明する。
【図４】本原理に従った、図２に説明された、第１の例の第１の実施形態を説明する。
【図５】本原理に従った、図２に説明された、第１の例の第１の実施形態の変形例を説明する。
【図６】本原理に従った、図２に説明された、第１の例の第２の実施形態を説明する。
【図７】本原理に従った、図３に説明された、第２の例の第１の実施形態を説明する。
【図８】本原理に従った、図３に説明された、第２の例の第１の実施形態の変形例を説明する。
【図９】本原理に従ったテレビジョンにおいて、中央スピーカーエミュレーションをアクティブにするホームシネマデバイスに対するＤＤＣとＣＥＣを使用した方法を説明する。
【図１０】本原理に従ったテレビジョンにおいて、中央スピーカーエミュレーションをアクティブにするホームシネマデバイスに対するＣＥＣを使用した方法を説明する。
【発明を実施するための形態】
【００２０】
説明では、３．１ホームシネマシステムにおける本原理が説明されるが、本原理は、また、５．１及び７．１などの他の構成に対してもまた適用できることを理解されたい。
【００２１】
本原理に従って、テレビジョンは、ホームシネマシステムデバイスに連結される。ホームシネマデバイスに接続されたスピーカーは、右スピーカー及び左スピーカーとして機能するように構成され、一方、テレビジョンの左と右のスピーカーは、ホームシネマシステムの中央スピーカーとしてオーディオをレンダリングするように構成される。低音（bass：バス）は、ホームシネマデバイスに接続されたバススピーカーによって又はテレビジョンのバススピーカーによって又はその両方によってレンダリングすることができる。
【００２２】
ホームシネマデバイスは、１つ以上のスピーカーを含むことに留意し、故に、ホームシネマシステム（又は類似の表現）に連結される複数のスピーカーについて説明が言及するとき、それらのスピーカーのうちの少なくとも１つが、ホームシネマデバイスにおいて具体化することができる点を理解されたい。
【００２３】
図２は、本原理に従ったホームシネマシステム２００の第１の例を説明する。テレビジョン２１０は、アンテナ、ブルーレイディスクプレーヤ、デコーダ又はセットトップボックスなどのオーディオビジュアルコンテンツのソース２２０に、又はホームシネマデバイス２３０に連結された内部スピーカー２１５を備え、ホームシネマデバイスは、例の３．１構成では２つである（場合によるバススピーカーは数えないで）、複数のスピーカー２４０に順に連結される。
【００２４】
ソース２２０は、オーディオ又はオーディオビジュアルコンテンツ（すなわち、オーディオとビデオ）をテレビジョン２１０に提供し、テレビジョン２１０は、その内部スピーカー２１５上でサウンドをレンダリングし、ＡＲＣオーディオ信号２５０をホームシネマデバイス２３０に提供し、ホームシネマデバイス２３０は、次に、複数のオーディオ信号２６０を複数のスピーカー２４０に提供し、通常は、スピーカー毎に１つのオーディオ信号である。テレビジョン２１０とホームシネマデバイス２３０は、また、例えば、コンシューマエレクトロニクスコントロール（ＣＥＣ）、ＤＤＣ情報などの制御情報２７０を交換する。ＣＥＣ及びＡＲＣは、ＨＤＭＩバージョン１．４以降で定義されている。第１の例の様々な実施形態が以下で説明される。
【００２５】
図３は、本原理の従ったホームシネマシステム３００の第２の例を説明する。内部スピーカー３１５を備えるテレビジョン３１０は、ホームシネマデバイス３３０に接続され、ホームシネマシステム３３０は、次に、複数のスピーカー３４０に接続され、それらは、例の３．１構成（可能性のあるバススピーカーは数えないで）における２つである。第２の例において、ホームシネマデバイス３３０は、ブルーレイディスクプレや、セットトップボックス又はインターネット接続などのオーディオ又はオーディオビジュアルコンテンツのソース３２０に接続される。
【００２６】
ソース３２０は、オーディオビジュアルコンテンツ（すなわち、オーディオ及びビデオ）をホームシネマデバイス３３０に提供し、ホームシネマデバイス３３０は、複数のスピーカー３４０に複数のオーディオ信号３６０を提供し、通常は、スピーカー毎に１つのオーディオ信号であり、オーディオビジュアル信号３５０は、テレビジョン３１０の内部スピーカー３１５上でのレンダリングするために、テレビジョン３１０に提供される。テレビジョン３１０とホームシネマデバイス３３０は、例えば、コンシューマエレクトロニクスコントロール（ＣＥＣ）とＤＤＣ情報などの制御情報３７０も交換する。
【００２７】
本原理に従った図２に説明される例の信号フローの第１の実施形態を、図４は説明する。テレビジョン２１０は、ソース（図示せず）からエンコードされたオーディオビジュアルコンテンツ（Video  &  Audio  in）を受信し、少なくとも１つのデコーダ（Decoder）４１０でエンコードされたオーディオビジュアルコンテンツをデコードし、典型的には、オーディオとビデオは、別個のデコーダでデコードされる。デコードされたビデオは、従来のやり方でテレビジョン２１０のディスプレイ（display）（図示せず）に出力される。しかしながら、デコーダは、また、受信した３．１オーディオをデコードし、デコードされた中央オーディオチャンネルをオーディオデジタル信号プロセッサ（ＤＳＰ）４２０に送信し、ＤＳＰ４２０は、中央オーディオチャンネルを内部の左のチャンネルと内部の右のチャンネルに処理し、それらはそれぞれ、内部の左と右のスピーカー２１５に送信され、このように、内部の左と右のスピーカー２１５は、中央スピーカーをエミュレートする。加えて、デコーダは、オーディオＤＳＰ４２０を経由して、デコードされたバスチャンネルを内部バススピーカー２１５へ送信するように構成することができる。デコーダは、デコードされた左と右のチャンネル（及び場合によりデコードされたバスチャンネル）をエンコーダ（Encoder）４３０に送るようにさらに構成され、順にエンコーダ４３０は、これらのチャンネルを、ＨＤＭＩ−ＡＲＣ信号などのオーディオ信号２５０にエンコードし、オーディオ信号２５０を出力するように構成される。
【００２８】
出力オーディオ信号２５０は、従来のやり方で受信したオーディオ信号２５０を処理するように構成されたホームシネマデバイス２３０を対象とし、つまり、オーディオＤＳＰ４５０に提供されるデコードされたオーディオ信号を取得するためにオーディオ信号２５０をデコードするためのデコーダ（Decoder）４４０を含み、その出力は、ホームシネマデバイス２３０に接続された複数のスピーカー２４０に向けられた複数のオーディオ信号２６０である。この例では、複数のスピーカー２４０は、左スピーカー、右スピーカー及び場合によっては、バススピーカーを含む。中央チャンネルが、信号を持たないときは、対応する出力は、故に、自動的にミュートされ得る。
【００２９】
この点で、他の実施形態と同様に、オーディオＤＳＰ４２０、４５０は、入力オーディオ信号をミックスし（mix）、スプリットする（split）ように構成される。これらのＤＳＰは、例えば、全てのチャンネルに対して独立してオーディオをイコライズ（equalize）し、又はユーザの設定に従って異なるオーディオチャンネルから選択的にコンポーネントをミキシングすることができる。ＤＰＳは、例えば、リップシンク（lip-sync）を遂行するために、オーディオチャンネルに適応される遅延をさらに増加又は減少させることができる。遅延はゼロ（無遅延を意味する）又は手動で又はプロセッサによって、場合によってはＨＤＭＩコマンド経由で設定できる固定の遅延に設定することができる。
【００３０】
図に示すように、バススピーカーに対するサウンドは、故に、実装に依存して、テレビジョン２１０のバススピーカー２１５によって又はホームシネマデバイス２３０に接続されたバススピーカーによってレンダリングされ、両方のバススピーカー上でバススピーカーに対するサウンドをレンダリングできることも留意されたい。
【００３１】
アクティブな左と右のチャンネルのみのオーディオ信号のエンコーダで再エンコードに起因して（バスと中央チャンネルは、ゼロに設定される）、ホームシネマデバイス２３０は、外部スピーカーによって右と左のオーディオチャンネルのレンダリングを扱うための任意のＣＥＣ情報を受信する必要がない。同時に、テレビジョンは、中央チャンネル（及び場合によりバスチャンネル）をその内部スピーカー上で自動的にレンダリングする。
【００３２】
図５に説明される代替案では、デコーダ５１０は、出力インタフェース５３０を経由して受信したエンコードされた３．１オーディオ信号を、ホームシネマデバイス２３０のデコーダ５４０に送信し、故に、エンコーダ４３０に関する必要性を取り除く。テレビジョン２１０において、オーディオＤＳＰ５２０は、図４のオーディオＤＳＰ４２０として機能し、一方、ホームシネマデバイスのオーディオＤＳＰ５５０は、図４のオーディオＤＳＰ４５０として機能する。変形例は、ＨＤＭＩ  ＡＲＣ接続２５０に加えてＣＥＣ接続２７０をさらに備える。
【００３３】
図４及び５の実施形態において、デコーダ２１０が中央チャンネル（及び場合によってバスチャンネル）自身をレンダリングすることをホームシネマデバイス２３０に通知することが好ましく、この情報は、例えば、コンシューマエレクトロニックコントロール（ＣＥＣ）又はディスプレイデータチャネル（ＤＤＣ）を使用して送信することができ、この両方は、ＨＤＭＩスタンダードバージョン１．４及びそれ以降で実装することができる。受信される情報のおかげで、ホームシネマデバイス２３０は、テレビジョン２１０によってレンダリングされるチャンネルをミュートすることができる。
【００３４】
本原理に従って図２に説明された例における信号フローの第２の実施形態を、図６は説明する。図４のように、テレビジョン２１０は、ソース（図示せず）からエンコードされたオーディオビジュアルコンテンツを受信し、少なくとも１つのデコーダ６１０で少なくともエンコードされたビデオコンテンツをデコードし、テレビジョン２１０のディスプレイ（図示せず）にデコードされたビデオを出力する。
【００３５】
しかしながら、デコーダ６１０は、出力インタフェース６１５を通して、エンコードされた３．１オーディオコンテンツ、例えば、ＨＤＭＩ−ＡＲＣ信号を、ホームシネマデバイス２３０へ出力するように構成される。デコーダ６１０は、また、例えば、ＣＥＣ又はＤＤＣを使用して、テレビジョン２１０が中央チャンネル（及び、そのような場合は、バスチャンネル）をレンダリングすることを、ホームシネマデバイス２３０に通知する。
【００３６】
ホームシネマデバイス２３０は、図４を参照して説明された複数のオーディオチャンネルを生成するように構成されたデコーダ６２０を含む。デコーダ６２０は、テレビジョンによってレンダリングされるチャンネルに関する受信した情報を使用して、中央チャンネル（及び場合によってはバスチャンネル）を、場合によっては、オーディオＤＳＰ６４０を通して、エンコーダ６３０に提供するように構成される。オーディオＤＳＰ６４０の使用は、ソースによって提供されるのとは異なるやり方でオーディオチャンネルを改変する（例えば、フェーデイング（fading））柔軟性を可能にすることができる。
【００３７】
中央（及び場合によってバス）チャンネルをオーディオ信号、例えば、ＨＤＭＩオーディオ信号にエンコードし、テレビジョン２１０に向けてオーディオ信号を出力するように、エンコーダ６３０は構成される。
【００３８】
テレビジョン２１０は、ホームシネマデバイス２３０から受信したオーディオ信号をデコードするように構成された第２のデコーダ６５０を含み：オーディオ信号は、中央チャンネル及び、場合によってはバスチャンネルを取得するために処理される。第２のデコーダ６５０は、デコードされたオーディオチャンネルをオーディオＤＳＰ６６０に出力し、オーディオＤＳＰ６６０は、処理されたチャンネルをそれぞれのスピーカー２１５に、すなわち、中央チャンネルを内部の左スピーカーと内部の右スピーカーに、及び場合によっては、バスチャンネルを内部バススピーカーに、提供するように構成される。図４を参照して既に言及したように、バスチャンネルは、テレビジョンのバススピーカー２１５上でレンダリングすることができ、バススピーカーは、ホームシネマデバイス又は両方に接続される。
【００３９】
代替案において、オーディオＤＳＰ６４０は、中央（及び場合によってバス）チャンネルを再構成された左と右のチャンネル（及び場合によってバスチャンネル）にエンコードするように構成される。これらのチャンネルをテレビジョン２１０に向けて出力される２．０又は２．１オーディオ信号にエンコードするように、エンコーダは構成される。受信したオーディオ信号を、内部の左スピーカーに提供される再構成された左チャンネル、内部の右スピーカーに提供される再構成された右チャンネル、及び、場合によって、内部バススピーカーに提供されるバスチャンネルにデコードするように、第２のデコーダ６５０は構成される。オーディオＤＳＰ６４０を使って、テレビジョン２１０の内部の左と右のスピーカー２１５を個別に駆動することが可能であり、それは、テレビジョン２１０が、中央チャンネルの出力を内部の左と右のスピーカーに切り替えることを必要としないことを意味する。
【００４０】
本原理に従った図３で説明した例における信号フローの第１の実施形態を、図７は説明する。ホームシネマデバイス３３０は、ソース（図示せず）からエンコードされたオーディオビジュアル信号を受信するように構成される。ホームシネマデバイス３３０におけるデコーダ７１０は、オーディオ信号の少なくとも左チャンネル、右チャンネル及び場合によってバスチャンネルをデコードし、デコードされたチャンネルを複数のスピーカー３４０の中のそれぞれのスピーカーに提供するように構成される。デコーダ７１０は、また中央（及び場合にってはバス）チャンネルをデコードするか、それを（又はそれらを）オーディオＤＳＰ７２０に提供し、オーディオＤＳＰ７２０は、チャンネルを処理し、処理されたチャンネルをエンコーダ７３０に提供し、複数のスピーカー３４０の中のバススピーカーによってバスチャンネルがレンダリングされる場合は、このバススピーカーに提供する。エンコーダ７３０は、リミックスされたチャンネル−すなわち、中央チャンネルと場合によってはバスチャンネル−をエンコードし、これらのチャンネルを２．０又は２．１信号として、信号３５０、３７０中の受信されたエンコードされたビデオ信号を一緒に、場合によってはＨＤＭＩ信号としてテレビジョン２１０に出力する。
【００４１】
テレビジョン３１０は、受信した信号をデコードするように構成されたデコーダ７４０を備える。ビデオ信号は、上述の通り、デコードされ、レンダリングされる。デコーダ７４０は、オーディオ信号を中央チャンネル及び場合によって、バスチャンネルにデコードするように構成される。バスチャンネルは、内部バススピーカー３１５に提供することができる。受信した信号３７０中の情報を使用して、デコーダ７４０は、さらに、左チャンネル及び右チャンネルを提供するために通常使用される出力をミュートするように構成され、代わりに、中央チャンネルをオーディオＤＳＰ７５０に出力し、オーディオＤＰＳ７５０は、処理された中央チャンネルを内部の左スピーカーと内部の右スピーカー３１５の両方に出力するように構成されている。オーディオＤＳＰ７５０は、またバスチャンネルを処理し、処理されたオーディオをバススピーカー３１５へも出力する。
【００４２】
図８に説明される代替案では、オーディオＤＳＰ８２０は、デコーダ８１０から中央チャンネル及びバスチャンネルを受信し、中央チャンネル（及び場合によってはバスチャンネル）を処理し、図７を参照して説明された中央チャンネルの代わりに、再構成された左チャンネルＬ’及び再構成された右チャンネルＲ’（及び場合によってはバスチャンネルＢ）をエンコーダ８３０に提供する。この場合、テレビジョン３１０のデコーダ８４０は、従来のやり方で動作するために受信した信号３７０中の情報を使用するように構成され、すなわち、（再構成された）左チャンネル及び（再構成された）右チャンネルをオーディオＤＳＰ８５０に出力し、オーディオＤＳＰ８５０は、これらのチャンネルを処理し、処理したチャンネルを内部の左スピーカー及び内部の右スピーカー３１５に提供する。
【００４３】
オーディオＤＳＰ８２０は、デコーダ８１０に含み得ることに留意されたい。
【００４４】
本原理は、また、同じやり方で処理され、出力されたサウンドをユーザに提供するオーディオのみのソースに対しても有効であることに留意されたい。
【００４５】
本原理は、また、ＨＥＣ（ＨＤＭＩイーサネットチャンネル）を使用しているときにも有効である点に留意されたい。
【００４６】
デコーダは、少なくともオーディオ信号を受信するように構成されたハードウェアインタフェースを含むことができ、エンコーダは、エンコードされたオーディオ信号を出力するように構成されたハードウェアインタフェースを含むことができる点に留意されたい。
【００４７】
テレビジョンとホームシネマデバイスは、コンシューマエレクトロニックコントロール（ＣＥＣ）又はディスプレイデータチャネル（ＤＤＣ）を使用してサウンドレンダリング能力について情報を交換することができる点は既に言及した。これは、これから更に説明される。
【００４８】
テレビジョンは、アクセスできるように自身のファームウェアにＤＤＣテーブルを記憶し、２つのデバイスが接続されたときに（例えば、電源オン又はホットプラギングとも呼ばれるホットプラグの後）、ホームシネマデバイスに提供することができる。ＤＤＣテーブルのフィールド及び情報は、ＨＤＭＩスタンダードに定義され、しかしながら、スタンダードは、プロプライエタリ情報を許し、且つ将来の開発も可能である。
【００４９】
本原理の目的のために、ＤＤＣテーブルは、以下の情報を記憶することができる：
【表１】
2018148563.tif 000003
【００５０】
加えて、本原理は、ＨＤＭＩスタンダード、バージョン１．４、ＣＥＣに対する附属書よって許される、２つの新たなＣＥＣコマンドを使用し、しかしながら、それは、将来のＨＤＭＩスタンダードにおいて容易に実装され得る：
・＜Ｓｐｅａｋｅｒ  Ｍｏｄｅ  Ｒｅｑｕｅｓｔ（スピーカーモードリクエスト＞［“Ｃｅｎｔｒｅ（中央）”］は、ホームシネマデバイスにテレビジョンにおいて中央スピーカーエミュレーションをアクティブにすることを許す。
・＜Ｓｅｔ  ＴＶ  Ｓｐｅａｋｅｒ  ａｓ  Ｃｅｎｔｒｅ（ＴＶスピーカーを中央として設定）＞［“Ｏｎ（オン）”］は、テレビジョンに中央スピーカーがアクティブであることに応答することを許す。
【００５１】
本原理に従った、テレビジョンにおいて中央スピーカーエミュレーションをアクティブにするホームシネマデバイスに対してＤＤＣ及びＣＥＣを使用する方法を、図９は説明する。
【００５２】
ステップ９０５において、ホームシネマデバイスは、テレビジョンからＤＤＣ情報を受信する。
【００５３】
ステップ９１０において、ユーザは、テレビジョンにおいて中央スピーカーエミュレーションを起動し、それは、ステップ９１５において、＜Ｓｙｓｔｅｍ  Ａｕｄｉｏ  Ｍｏｄｅ  Ｒｅｑｕｅｓｔ（システムオーディオモードリクエスト）＞［Ｐｈｙｓｉｃａｌ  Ａｄｄｒｅｓｓ（物理アドレス）］メッセージをホームシネマデバイスに送信する。ユーザが以前に中央スピーカーエミュレーションをアクティブにしている場合、ステップ９１０は、実行されず、ステップ９１５は、自動的に実行される。それに応じて、ホームシネマデバイスは、ステップ９２０において、その入力を物理アドレスに切り替えい、ステップ９３０においてそのスピーカーをミュート解除する。ステップ９１０〜９３０は、ＨＤＭＩ  １．４スタンダード、ＣＥＣ  図２６の２７９ページで説明されている。
【００５４】
ステップ９３５において、ホームシネマデバイスは、＜Ｓｐｅａｋｅｒ  Ｍｏｄｅ  Ｒｅｑｕｅｓｔ（スピーカーモードリクエスト））＞  ［“Ｃｅｎｔｅｒ（中央）”］をテレビジョンに送り、テレビジョンにおける中央スピーカーエミュレーションをアクティブにする。テレビジョンは、ステップ９５０において、そのスピーカーをミュート解除し、ステップ９５５において、＜Ｓｅｔ  ＴＶ  Ｓｐｅａｋｅｒ  ａｓ  Ｃｅｎｔｅｒ（中央としてＴＶスピーカーを設定する）＞  ［“Ｏｎ（オン）”］を返し、中央スピーカーエミュレーションがアクティブにされたことをホームシネマデバイスに示す。
【００５５】
ユーザは、次に、例えば、ステップ９６０においてボリュームを上げることによって例えば、出力信号を制御し、それによってステップ９６５においてテレビジョンは＜Ｕｓｅｒ  Ｃｏｎｔｒｏｌ  Ｐｒｅｓｓｅｄ（ユーザコントロールが押された）＞  ［Ｖｏｌｕｍｅ  Ｕｐ（ボリュームアップ）］、メッセージをホームシネマシステムなどへ送信することができ、それはＨＤＭＩスタンダード、ＣＥＣ  図３１の２８２ページに説明されている。
【００５６】
本原理に従ってテレビジョンにおいて中央スピーカーエミュレーションをアクティブにするためにホームシネマデバイスに対してＣＥＣを使用する方法を、図１０は説明する。ＤＤＣが十分な情報を含まないとき、テレビジョンにおいて中央スピーカーエミュレーションのアクティベーションは、これによって可能となる。
【００５７】
方法は、図９を参照して既に説明したステップ９１０〜９４０で開始される。
【００５８】
次に、ホームシネマシステムは、ステップ１０４２において、＜Ｓｐｅａｋｅｒ  Ｒｅｑｕｅｓｔ（スピーカーリクエスト）＞ブロードキャストメッセージをテレビジョンに送信し、テレビジョンに少なくともそのエミュレーション能力を問い合わせる。テレビジョンが、中央スピーカーをエミュレーションできる能力がある場合、ステップ１０４４において、＜Ｓｐｅａｋｅｒ  Ｒｅｓｐｏｎｓｅ（スピーカーレスポンス）＞  ［“Ｃｅｎｔｒｅ（中央）”］を返し、この能力をホームシネマシステムに通知する。ホームシネマシステムは、次に、ステップ１０４５で、＜Ｓｐｅａｋｅｒ  Ｍｏｄｅ  Ｒｅｑｕｅｓｔ（スピーカーモードリクエスト）＞  ［“Ｃｅｎｔｒｅ（中央）”］をテレビジョンに送信し、テレビジョンにおける中央スピーカーエミュレーションをアクティブにする。ステップ１０５０において、テレビジョンは、そのスピーカーをミュート解除し、ステップ１０５５において、＜Ｓｅｔ  ＴＶ  Ｓｐｅａｋｅｒ  ａｓ  Ｃｅｎｔｒｅ＞  ［“Ｏｎ”］を返し、中央スピーカーエミュレーションがアクティブにされていることをホームシネマデバイスに示す。ステップ１０４５〜１０５５は、図９におけるステップ９４５〜９５５と類似している。
【００５９】
図９に示すように、ユーザは次に、例えば、ステップ１０６０においてボリュームを上げることによって、例えば出力を制御し、ステップ１０６５において、テレビジョンに、＜Ｕｓｅｒ  Ｃｏｎｔｒｏｌ  Ｐｒｅｓｓｅｄ＞  ［Ｖｏｌｕｍｅ  Ｕｐ］メッセージをホームシネマシステムなどに送信させ、それはＨＤＭＩ  １．４スタンダード、ＣＥＣ  図３１のページ２８２に説明されている。
【００６０】
中央スピーカーは、例えばサウンドバーのようなテレビジョン以外のデバイスによってエミュレートすることもできることが理解される。この場合、デバイスは、レンダリングのために中央チャンネルを送信し−いくつかの実施形態においてテレビジョンは、他においてホームシネマデバイスは、−この他のデバイスに中央チャンネルを提供するように構成される。代替案としては、たとえテレビジョンがホームシネマデバイスから中央チャンネルを受信したときだとしても、テレビジョンは、他のデバイスに中央チャンネルを出力することができる。
【００６１】
説明のいたるところで、有線のＨＤＭＩは、非制限的な例として使用されているが、これは、他の適切な技術も使用できるということが理解される。例えば、本原理は、ＨＤＭＩのワイヤレスバージョンに対して特に適切であるが、しかしながら、オプティカルＨＤＭＩバージョンとも協働するだろう。
【００６２】
説明されたデバイスは、簡潔さの理由で非常に単純化されており、加えて実際のデバイスは、内部接続やパワーサプライなどの構成要素を含むことがあることを当業者は理解する。
【００６３】
図示したように、本原理は、ホームシネマシステムにおいてテレビジョンによって中央スピーカーエミュレーションを可能にする。
【００６４】
図示された要素は、ハードウェア、ソフトウェア又はそれらの組み合わせの様々な形式で実装することができることを理解されるべきである。好ましくは、これらの要素は、ハードウェアと１つ以上の適切にプログラムされた汎用デバイス上のソフトウェアの組み合わせにおいて実装され、それは、プロセッサ、メモリ、及び／又は入力／出力インタフェースを含み得る。ここで、用語「連結された（coupled）」は、直接接続された、又は１つ以上の中間コンポーネントを通して間接的に接続されたことを意味すると定義される。そのようの中間コンポーネントは、ハードウェア及びソフトウェアベースのコンポーネントの両方を含むことができる。
【００６５】
本説明は、本開示の原理を説明する。当業者であれば、本明細書に明示的に説明されたり又は示されたりしていなくとも、この範囲内に含まれる本開示の原理を具体化する様々な構成を発明することができることが故に理解される。
【００６６】
本明細書で列挙された全ての例及び条件的な言葉は、本開示の原理及び技術を促進するための発明者によって寄与される概念を理解するのに読者にとって役に立つ教育的な目的に向けられており、そのような特に列挙された例及び条件は制限無く解釈されるべきである。
【００６７】
その上、本明細書中の本開示の原理、態様、実施形態を列挙する全ての記述及びそれらの特定の例は、それらの構造的な及び機能的な均等物の両方を包含することを意図する。加えて、そのような均等物は、現在知られている均等物及び将来開発される均等物、すなわち、構造にかかわらず同じ機能を実行するために開発された任意の要素の両方を含むことを意図する。
【００６８】
故に、例えば、当業者であれば、本明細書に表現されたブロック図は、本開示の原理を具体化する実例となる回路の概念的なビューを表現することが理解される。同様に、任意のフローチャート、フロー図、状態遷移図、擬似コードなどは、様々な処理を表現し、それらは、実質的にコンピュータ読取可能媒体中に表現され、コンピュータ又はプロセッサが明示的に示されていてもいなくても、そのようにコンピュータ又はプロセッサによって実行されると、理解される。
【００６９】
図に示された様々な要素の機能は、専用のハードウェア及び適切なソフトウェアと協働してソフトウェアを実行する能力のあるハードウェアの使用を通して提供することができる。プロセッサによって提供されるとき、機能は、単一の専用プロセッサ、単一の共用プロセッサ、又はそれらのいくつかが共用され得る複数の個別のプロセッサによって提供することができる。その上、用語、「プロセッサ（processor）」又は「コントローラ（controller）」の明確な使用は、ソフトウェアを実行する能力のあるハードウェアを排他的に指すと解釈すべきではなく、デジタル信号プロセッサ（ＤＳＰ）ハードウェア、ソフトウェアを記憶するためのリードオンリーメモリ（ＲＯＭ）、ランダムアクセスメモリ（ＲＡＭ）、及び不揮発性ストレージを、黙示的に制限無く含み得る。
【００７０】
従来の及び／又はカスタムの他のハードウェアも含むことができる。同様に、図に示された任意のスイッチは、概念のみである。これらの機能は、プログラムロジックの動作を通して、専用のロジックを通して、プログラム制御と専用ロジックの相互作用を通して、計算、有効化／無効化又は手作業を通しても実行することができ、本文脈からより具体的に理解されるように、実装者によって特定の技法は選択可能である。
【００７１】
本願の請求項において、特定された機能を実行するための手段として表された任意の要素は、その機能を実行する任意の方法を包含することを意図し、それは、例えば、ａ）その機能を実行する回路要素の組み合わせ、又はｂ）その機能を実行するためのソフトウェアを実行するための適切な回路と組み合わせられる、ファームウェア、マイクロコードなどを従って含む任意の形式のソフトウェアを含む。そのような請求項によって定義される本開示は、様々な列挙された手段によって提供される機能性が請求項が要求するやり方で組み合わせられ及び寄せ集められるという事実に存する。故に、これらの機能性を提供することができる任意の手段は、本明細書に示されたものと均等であると見なされる。
【図１】
2018148563.tif 000004
【図２】
2018148563.tif 000005
【図３】
2018148563.tif 000006
【図４】
2018148563.tif 000007
【図５】
2018148563.tif 000008
【図６】
2018148563.tif 000009
【図７】
2018148563.tif 000010
【図８】
2018148563.tif 000011
【図９】
2018148563.tif 000012
【図１０】
2018148563.tif 000013
【外国語明細書】
2018148563000001.pdf